(57)【特許請求の範囲】
【請求項１】
被検体を載置する天板部と、この天板部に取り付けられた中空の上下動支柱と、旋回可能な中空の固定支柱と、駆動制御部とを備え、前記上下動支柱と固定支柱の一方が他方に内挿された２層構造で天板部を支持する検診台において、
前記上下動支柱の一部に上下方向の切り欠き部を設けるとともに、駆動制御部を固定支柱側に設け、給電ケーブルを前記固定支柱の下側中央部から支柱内部を通して上部へ配設し、切り欠き部を通して駆動制御部に接続したことを特徴とする検診台。
【発明の詳細な説明】
【０００１】
【産業上の利用分野】
本発明は、被検体を支持し、上下動と旋回が可能な検診台に関する。
【０００２】
【従来の技術】
一般に検診台は被検者を載せて上下に移動させたり、所定の位置まで旋回させたりするものであるから、検診台の動きを制御するために検診台と装置本体とがケーブルで、また電源等ともケーブルで接続されている。
【０００３】
例えば、図５のように検診台は被検者を載せるための天板部５１、上下動等の駆動信号や電源等の制御を行う制御部５２、上下動支柱５３、駆動部５４、上下動支柱５３の内側に設けられた旋回可能な固定支柱５５、ベアリング部５６、ベース５７等で構成されている。
【０００４】
ケーブルの接続方法としては、図５（ａ）のように装置本体、電源等からのケーブル５８を床６０の下を通し、ケーブル支柱５９の内部を経て検診台の固定支柱５５の下部へ導き、ここからケーブル５８を貫通孔５５Ａから支柱内部を通して制御部５２に接続する方法がある。ケーブル５８は上下動支柱５３とともに上下する制御部５２に繋がっているので、検診台を旋回、上下させる場合、旋回、上下の動きを確保するためにあらかじめケーブル５８に弛みをもたせている。
【０００５】
また、図５（ｂ）に示すようにあらかじめ所定長さのケーブルが収容できる大きさのピット６１を床下に形成しておき、装置本体、電源等からのケーブル５８をこのピット６１から検診台の固定支柱５５の内部を通して上下動支柱５３の上部位置から制御部５２に接続するようにしている。検診台が上方へ移動した場合にケーブルが引っ張られるので、その分ピット６１のほうへケーブルを余分に収納している。
【０００６】
【発明が解決しようとする課題】
しかし、図５（ａ）の従来例では、ケーブルに弛みをもたせ、外部に露出しているので、ケーブル自体が操作者の作業性を妨げる。また、ケーブルが血液や薬剤で汚れて不潔である。さらに、旋回角度を十分確保するためにはケーブルの弛みを長くしなければならないという問題があった。
【０００７】
また、図５（ｂ）の従来例では、上方移動によりケーブルが最大限引っ張られる長さの分だけ、余分なケーブルをピットに収容しておかなければならないのでピット容積が大きいものをつくらなければならず、据付可能な場所が制限されてしまう。さらに、ケーブル自体も支柱内で引っ張られたり、弛んだり、移動するのでケーブルに損傷が生じるという問題があった。
【０００８】
本発明は、上記課題を解決するために創案されたもので、天板部を上下動や旋回させても、ケーブルが操作者の操作の妨げにならず、ケーブルが挟まれたりすり切れたりしないような検診台を提供するものである。
【０００９】
【課題を解決するための手段】
上記目的を達成するために、本発明の検診台は、被検体を載置する天板部と、この天板部に取り付けられた中空の上下動支柱と、旋回可能な中空の固定支柱と駆動制御部とを備え、前記上下動支柱と固定支柱の一方が他方に内挿された２層構造で天板部を支持するように構成し、前記上下動支柱の一部に上下方向の切り欠き部を設けるとともに、駆動制御部を固定支柱側に設け、給電ケーブルを前記固定支柱の下側中央部から支柱内部を通して上部へ配設し、切り欠き部を通して駆動制御部に接続したことを特徴としている。
【００１０】
【作用】
上下動支柱の切り欠き部の長さは天板部の上下動ストロークに応じて形成されているとともに、給電ケーブルは固定支柱の下側中央部から支柱内部を通し、前記固定支柱の上側にかけて配設されているので、上下動支柱が上下動を行ってもケーブルによってその動きが妨げられず、ケーブルに損傷を与えない。また、給電ケーブルはほぼ固定支柱の長さ分下へ垂れ下がっており、旋回による捩じれはその部分で吸収されるため、ケーブルに無理な力が加わらず、大きな角度で旋回させることができる。
【００１１】
【実施例】
本発明の一実施例を、以下、図面に基づいて説明する。
【００１２】
図１は本発明による検診台の縦断面図を示し、図２は横断面図を示している。１はベース、２はベアリング部、３は旋回可能な中空の固定支柱、４は固定支柱３の内側に配置された中空の上下動支柱、５ａ〜５ｄはコロ、６ａ、６ｂはレール、６ｃは溝形レール、７は天板部、８はケーブル、９はクランプ、１０は上下動支柱４の上下方向に形成された切り欠き部、１１は上下動支柱４の内部に形成された内壁、１２は上下動等の駆動や電源の供給等の電気的な制御を行う駆動制御部、１３は床に設けられたピット、１４はモータ、１５はモータプーリー、１６はベルト、１７は入力軸プーリー、１８は減速機、１９は出力軸ピニオンである。
【００１３】
ベース１は床面に設置固定されており、検診台の駆動制御部１２と本体装置や電源等とを接続するケーブル８を床下から導くためにピット１３が形成されている。
【００１４】
天板部７を支えている上下動支柱４の側面の一部には、上下方向に切り欠き部１０が形成され、この部分の壁面は取り除かれている。他の側面にはレール６ａ〜６ｃが設けられている。
【００１５】
また、固定支柱３の内側面にはコロ５ａ〜５ｅが、外側面には駆動制御部１２が取り付けられており、この５ａ、５ｂのコロで上記のレール６ａを、５ｃ、５ｄのコロでレール６ｂを挟み込むようになっている。溝形レール６Ｃはその溝にコロ５ｅを噛み合わせるとともに、出力軸ピニオン１９は溝形レール６Ｃの側面に形成された歯と噛み合っており、出力軸ピニオン１９が回転すると、溝形レール６Ｃが上下に移動し、これにともなって、上下動支柱４が上下するようになるすなわち、モータ１４が回転することによってモータプーリー１５が回転し、この動力がベルト１６によって入力軸プーリー１７に伝えられ、減速機１８を介して出力軸ピニオン１９に動力が伝えられる。したがって、上下動支柱４の上下動はモータ１５の正転、逆転によって行われる。
【００１６】
また、図示はしていないが、ベアリング部２の部分には電磁ロック機構が取り付けられており、通常の状態では固定支柱３はロックされている。固定支柱３の旋回を行う場合には電気的に電磁ロックを解除して手動により天板部７を回転させる。
【００１７】
一方、ケーブル８は上下動支柱４の下側から内空部を通り、切り欠き部１０をを通し、固定支柱３の上部の一部を貫通させてここからケーブルを外へ導き、駆動制御部１２へ接続される。ケーブル８はこの出口のところでクランプ９によって固定支柱３に固定される。
【００１８】
ところで図３は、図１の状態から天板部７を１８０度旋回させ、かつ、上昇させた状態を示したものである。
【００１９】
この図からもわかるように、上下動支柱４を上下動させると、クランプ９によって固定されたケーブルの固定部は切り欠き部１０を相対的に移動するため、切り欠き部の長さＬ１が上下動ストロークとケーブルの太さとの和よりも長くしておけば、ケーブル８は上下動を妨げない。
【００２０】
また、固定支柱３が旋回すれば、内部にある上下動支柱４と駆動制御部１２も一体となって旋回するので、ケーブル８の上側と下側では捩じれが生じるが、この捩じれは図１のＬ２の範囲で発生するので、局部的に捩じれが集中することがなく、ケーブルに損傷を与えない。
【００２１】
なお、内壁１１は切り欠き部１０を設けたことによる上下動支柱４の強度低下を補うものである。
【００２２】
ところで、従来のように床に形成されるピットにはケーブルを所定の長さ収容しておく必要がなく、ケーブルの太さ程度のピットで済むので、床工事ができない部屋であっても図４のようにケーブル太さ程度のスペーサ２０を設けることによって検診台を設置できる。
【００２３】
また、固定支柱を内側、上下動支柱を外側に配置し、減速機やモータを固定支柱側に設け、駆動制御部をベース近くに設けて同様に構成することによって同様の効果が得られる。
【００２４】
【発明の効果】
以上説明したように、本発明の検診台によれば、ケーブルが外へ露出しないので、操作の妨げとなることがなく、無理な力が加わらないので大きな旋回角度を取ることができ、ケーブルに損傷を与えることがない。また、ピットの容積も小さくて済むので、普通の部屋に設置することができる。
【図面の簡単な説明】
【図１】本発明の一実施例の検診台の縦断面を示す図である。
【図２】本発明の一実施例の検診台の横断面を示す図である。
【図３】本発明の検診台が上昇旋回を行った状態を示す図である。
【図４】本発明の検診台の他の構成を示す図である。
【図５】従来の検診台の構成を示す図である。
【図１】
0003552337.tif 000002
【図２】
0003552337.tif 000003
【図３】
0003552337.tif 000004
【図４】
0003552337.tif 000005
【図５】
0003552337.tif 000006